(57)【要約】【課題】  光通過面側への接着剤のはみ出しを防止して、性能の良好なカメラモジュールを提供する。【解決手段】  本発明のカメラモジュールは、第１、第２の筒状部２、３、及び第１，第２の筒状部２，３を繋ぐ連結部４を有する保持部材１と、第１の筒状部２内に取り付けられたレンズ６と、第２の筒状部３内に取り付けられた撮像素子８と、レンズ６と撮像素子８との間に配置された状態で、第２の筒状部３内に取り付けられた赤外線除去フィルタ１０とを備え、赤外線除去フィルタ１０は、連結部４の内面に対向して配置されると共に、連結部４には、赤外線除去フィルタ１０と対向する内面に凹み部からなる接着剤溜まり部Ｔが設けられ、連結部４には、接着剤溜まり部Ｔに設けられた接着剤１１によって赤外線除去フィルタ１０の上面１０ａが接着されたため、接着剤が接着剤溜まり部内に係留し、光通過面側への接着剤１１のはみ出しを防止して性能の良好なものが得られる。【選択図】        図１
2006157420.tif 000002
【特許請求の範囲】
【請求項１】
第１の筒状部とこの第１の筒状部より大きな第２の筒状部、及び前記第１，第２の筒状部の一端同士を繋ぐ連結部を有する保持部材と、前記第１の筒状部内に取り付けられたレンズと、前記第２の筒状部内に取り付けられた撮像素子と、前記レンズと前記撮像素子との間に配置された状態で、前記第２の筒状部内に取り付けられた赤外線除去フィルタとを備え、前記赤外線除去フィルタは、前記連結部の内面に対向して配置されると共に、前記連結部には、前記赤外線除去フィルタと対向する前記内面側に凹み部からなる接着剤溜まり部が設けられ、前記連結部には、前記接着剤溜まり部に設けられた接着剤によって前記赤外線除去フィルタの上面が接着されたことを特徴とするカメラモジュール。
【請求項２】
前記接着剤溜まり部が環状に形成されたことを特徴とする請求項１記載のカメラモジュール。
【請求項３】
前記接着剤溜まり部は、前記連結部の内方中心側の一端部において、前記赤外線除去フィルタ側から前記連結部の前記一端部方向に向けて形成された逆テーパー状の傾斜部で構成された凹み部からなることを特徴とする請求項１、又は２記載のカメラモジュール。
【請求項４】
前記接着剤溜まり部は、前記赤外線除去フィルタと対向する前記連結部の前記内面側に設けられた凹部によって構成されたことを特徴とする請求項１、又は２記載のカメラモジュール。
【請求項５】
前記連結部の前記内面には、前記赤外線除去フィルタ側に突出する突部を有し、前記接着剤溜まり部は、前記突部によって、前記赤外線除去フィルタと前記連結部の前記内面との間に形成される凹み部によって構成されたことを特徴とする請求項１、又は２記載のカメラモジュール。
【請求項６】
前記第２の筒状部内に取り付けられたプリント基板を有し、このプリント基板は、前記撮像素子の下面側に配置された状態で、前記撮像素子に接続導体を介して電気的に接続されたことを特徴とする請求項１から５の何れかに記載のカメラモジュール。
【発明の詳細な説明】
【技術分野】
【０００１】
本発明は携帯電話機等の電気機器に使用して好適なカメラモジュールに関する。
【背景技術】
【０００２】
図５は従来のカメラモジュールの要部断面図を示し、従来のカメラモジュールの構成を図５に基づいて説明すると、保持部材５１は、第１の筒状部５２と、この第１の筒状部５２の一端側から同方向に延びた第１の筒状部５２より大きな第２の筒状部５３と、第１，第２の筒状部５２，５３の一端同士を繋ぐ連結部５４と、第１の筒状部５２の前方部である他端側に設けられた前方壁部５５を有する。
【０００３】
レンズ５６は、前方壁部５５に当接した状態で、第１の筒状部５２内に取り付けられると共に、保持部材５１の第２の筒状部５３の下面には、プリント基板５７が配置され、このプリント基板５７には、撮像素子５８が第２の筒状部５３内に位置した状態で、接続導体５９によって電気的に接続されている。
【０００４】
赤外線除去フィルタ６０（ＩＲカットフィルタ）は、レンズ５６と撮像素子５８との間の位置で、第２の筒状部５３内に配置されると共に、この赤外線除去フィルタ６０は、連結部５４と、第２の筒状部５３の中心部側に延びる連結部５４の延設部５４ａの平坦な内面に設けられた接着剤（図示せず）によって、赤外線除去フィルタ６０の上面が接着されて、従来のカメラモジュールが形成されている。（例えば、特許文献１参照）
【０００５】
しかし、従来のカメラモジュールは、赤外線除去フィルタ６０の上面が連結部５４の平坦な内面に設けられた接着剤によって接着されるため、接着剤が連結部５４の内方端から中心方向の光通過面側にはみ出て、性能が悪くなる。
【０００６】
【特許文献１】特開２００４−６４２７２号公報
【発明の開示】
【発明が解決しようとする課題】
【０００７】
従来のカメラモジュールは、赤外線除去フィルタ６０の上面が連結部５４の平坦な内面に設けられた接着剤によって接着されるため、接着剤が連結部５４の内方端から中心方向の光通過面側にはみ出て、性能が悪くなるという問題がある。
【０００８】
そこで、本発明は光通過面側への接着剤のはみ出しを防止して、性能の良好なカメラモジュールを提供することを目的とする。
【課題を解決するための手段】
【０００９】
上記課題を解決するための第１の解決手段として、第１の筒状部とこの第１の筒状部より大きな第２の筒状部、及び前記第１，第２の筒状部の一端同士を繋ぐ連結部を有する保持部材と、前記第１の筒状部内に取り付けられたレンズと、前記第２の筒状部内に取り付けられた撮像素子と、前記レンズと前記撮像素子との間に配置された状態で、前記第２の筒状部内に取り付けられた赤外線除去フィルタとを備え、前記赤外線除去フィルタは、前記連結部の内面に対向して配置されると共に、前記連結部には、前記赤外線除去フィルタと対向する前記内面側に凹み部からなる接着剤溜まり部が設けられ、前記連結部には、前記接着剤溜まり部に設けられた接着剤によって前記赤外線除去フィルタの上面が接着された構成とした。
【００１０】
また、第２の解決手段として、前記接着剤溜まり部が環状に形成された構成とした。
また、第３の解決手段として、前記接着剤溜まり部は、前記連結部の内方中心側の一端部において、前記赤外線除去フィルタ側から前記連結部の前記一端部方向に向けて形成された逆テーパー状の傾斜部で構成された凹み部からなる構成とした。
【００１１】
また、第４の解決手段として、前記接着剤溜まり部は、前記赤外線除去フィルタと対向する前記連結部の前記内面側に設けられた凹部によって構成された。
また、第５の解決手段として、前記連結部の前記内面には、前記赤外線除去フィルタ側に突出する突部を有し、前記接着剤溜まり部は、前記突部によって、前記赤外線除去フィルタと前記連結部の前記内面との間に形成される凹み部によって構成された。
【００１２】
また、第６の解決手段として、前記第２の筒状部内に取り付けられたプリント基板を有し、このプリント基板は、前記撮像素子の下面側に配置された状態で、前記撮像素子に接続導体を介して電気的に接続された構成とした。
【発明の効果】
【００１３】
本発明のカメラモジュールは、第１の筒状部とこの第１の筒状部より大きな第２の筒状部、及び第１，第２の筒状部の一端同士を繋ぐ連結部を有する保持部材と、第１の筒状部内に取り付けられたレンズと、第２の筒状部内に取り付けられた撮像素子と、レンズと撮像素子との間に配置された状態で、第２の筒状部内に取り付けられた赤外線除去フィルタとを備え、赤外線除去フィルタは、連結部の内面に対向して配置されると共に、連結部には、赤外線除去フィルタと対向する内面に凹み部からなる接着剤溜まり部が設けられ、連結部には、接着剤溜まり部に設けられた接着剤によって赤外線除去フィルタの上面が接着された構成とした。
即ち、連結部には、赤外線除去フィルタと対向する内面に凹み部からなる接着剤溜まり部が設けられため、接着剤が接着剤溜まり部内に係留し、光通過面側への接着剤のはみ出しを防止して、性能の良好なものが得られる。
【００１４】
また、接着剤溜まり部が環状に形成されたため、接着剤による赤外線除去フィルタへの接着面が多くなって、強固な接着ができる。
【００１５】
また、接着剤溜まり部は、連結部の内方中心側の一端部において、赤外線除去フィルタ側から連結部の一端部方向に向けて形成された逆テーパー状の傾斜部で構成された凹み部からなるため、接着剤は、逆テーパー状の傾斜部の毛細管現象によって、第２の筒状部の中心から離れる方向に引き寄せられ、光通過面側への接着剤のはみ出しを防止して、性能の良好なものが得られる。
【００１６】
また、接着剤溜まり部は、赤外線除去フィルタと対向する連結部の内面側に設けられた凹部によって構成されたため、接着剤が凹部内に係留し、光通過面側への接着剤のはみ出しを防止して、性能の良好なものが得られる。
【００１７】
また、連結部の内面には、赤外線除去フィルタ側に突出する突部を有し、接着剤溜まり部は、突部によって、赤外線除去フィルタと連結部の内面との間に形成される凹み部によって構成されたため、接着剤が凹み部内に係留し、光通過面側への接着剤のはみ出しを防止して、性能の良好なものが得られる。
【００１８】
また、第２の筒状部内に取り付けられたプリント基板を有し、このプリント基板は、撮像素子の下面側に配置された状態で、撮像素子に接続導体を介して電気的に接続されたため、プリント基板が第２の筒状部内に配置された小型のものが得られる。
【発明を実施するための最良の形態】
【００１９】
本発明のカメラモジュールの図面を説明すると、図１は本発明のカメラモジュールの第１実施例に係る要部断面図、図２は本発明のカメラモジュールの第２実施例に係る要部断面図、図３は本発明のカメラモジュールの第３実施例に係る要部断面図、図４は本発明のカメラモジュールの第４実施例に係る要部断面図である。
【００２０】
次に、本発明のカメラモジュールの第１実施例に係る構成を図１に基づいて説明すると、合成樹脂の成型品等からなる保持部材１は、円筒からなる第１の筒状部２と、この第１の筒状部２の一端側から同方向に延びた第１の筒状部２より大きな四角筒からなる第２の筒状部３と、第１，第２の筒状部２，３の一端同士を繋ぎ、第１，第２の筒状部２，３との間に段差を持って形成された連結部４と、第１の筒状部２の前方部である他端側に設けられた前方壁部５を有する。
【００２１】
レンズ６は、前方壁部５に当接した状態で、第１の筒状部２内に取り付けられると共に、保持部材１の第２の筒状部３内の下部には、プリント基板７が配置され、このプリント基板７には、撮像素子８が第２の筒状部３内でプリント基板７上に位置した状態で、接続導体９によって電気的に接続されている。
【００２２】
赤外線除去フィルタ１０（ＩＲカットフィルタ）は、レンズ６と撮像素子８との間の位置で、第２の筒状部３内に配置されて、赤外線除去フィルタ１０の上面１０ａが連結部４と対向して配置されると共に、赤外線除去フィルタ１０の上面１０ａと対向する連結部４の内面側には、凹み部からなる接着剤溜まり部Ｔが設けられている。
この接着剤溜まり部Ｔは、環状、或いは同一円周上に複数個が点在した状態で設けられている。
【００２３】
そして、第２の筒状部３内に位置した赤外線除去フィルタ１０の上面１０ａが連結部４の内面に当接した状態で、接着剤溜まり部Ｔ内に係留した接着剤１１によって、赤外線除去フィルタ１０の上面１０ａが連結部４に接着されて、本発明のカメラモジュールが形成されている。
【００２４】
このような構成を有する本発明のカメラモジュールは、ここでは図示しないが、携帯電話機等の電気機器内に収納され、プリント基板７がマザー基板等の接続基板に面実装されるようになっている。
【００２５】
また、この第１実施例における接着剤溜まり部Ｔは、連結部４の内方中心側の一端部において、赤外線除去フィルタ１０側から連結部４の一端部方向に向けて形成された逆テーパー状の傾斜部４ａで構成された凹み部からなるものであり、接着剤１１は、逆テーパー状の傾斜部４ａの毛細管現象によって、第２の筒状部３の中心から離れる方向に引き寄せられ、光通過面側への接着剤１１のはみ出しを防止ししている。
【００２６】
また、図２は本発明のカメラモジュールの第２実施例例を示し、この第２実施例の構成を説明すると、連結部４の内方部には、第２の筒状部３の中心部側に延びる板状の延設部４ｂが設けられ、この延設部４ｂの内方中心側の一端部において、赤外線除去フィルタ１０側から連結部４の一端部方向に向けて形成された逆テーパー状の傾斜部４ａが設けられて、この傾斜部４ａによって、接着剤溜まり部Ｔが構成されたものである。
【００２７】
また、この第２実施例における前方壁部５は、第１の筒状部２と別体に形成されて、第１の筒状部２にネジ嵌合手段等によって取り付けられている。
なお、その他の構成は、上記第１実施例と同様の構成を有し、同一部品に同一番号を付し、ここではその説明を省略する。
【００２８】
また、図３は本発明のカメラモジュールの第３実施例例を示し、この第３実施例の構成を説明すると、接着剤溜まり部Ｔは、赤外線除去フィルタ１０と対向する連結部４の内面側に設けられた凹部４ｃによって構成され、この凹部４ｃ内に接着剤１１が係留して、光通過面側への接着剤１１のはみ出しを防止ししたものである。
【００２９】
なお、その他の構成は、上記第２実施例と同様の構成を有し、同一部品に同一番号を付し、ここではその説明を省略する。
【００３０】
また、図４は本発明のカメラモジュールの第４実施例例を示し、この第４実施例の構成を説明すると、連結部４の内面には、赤外線除去フィルタ１０側に突出する環状、或いは同一円周上に点在する突部４ｄを有し、接着剤溜まり部Ｔは、突部４ｄによって、赤外線除去フィルタ１０と連結部４の内面との間に形成される凹み部４ｅによって構成され、この凹み部４ｅ内に接着剤１１が係留して、光通過面側への接着剤１１のはみ出しを防止ししている。
【００３１】
また、この第４実施例において、突部４ｄと第２の筒状部３との間に位置する凹み部４ｅ内に接着剤１１を係留すると、接着剤１１のはみ出しを一層防止できる。
なお、その他の構成は、上記第２実施例と同様の構成を有し、同一部品に同一番号を付し、ここではその説明を省略する。
【００３２】
なお、接着剤溜まり部Ｔの構成は、上記第１〜第４実施例に開示した構成の組合せや、それ以外の構成のものが種々適用できること勿論である。
【図面の簡単な説明】
【００３３】
【図１】本発明のカメラモジュールの第１実施例に係る要部断面図。
【図２】本発明のカメラモジュールの第２実施例に係る要部断面図。
【図３】本発明のカメラモジュールの第３実施例に係る要部断面図。
【図４】本発明のカメラモジュールの第４実施例に係る要部断面図。
【図５】従来のカメラモジュールの要部断面図。
【符号の説明】
【００３４】
１：保持部材
２：第１の筒状部
３：第２の筒状部
４：連結部
４ａ：傾斜部
４ｂ：延設部
４ｃ：凹部
４ｄ：突部
４ｅ：凹み部
５：前方壁部
６：レンズ
７：プリント基板
８：撮像素子
９：接続導体
１０：赤外線除去フィルタ
１０ａ：上面
１１：接着剤
Ｔ：接着剤溜まり部
【図１】
2006157420.tif 000003
【図２】
2006157420.tif 000004
【図３】
2006157420.tif 000005
【図４】
2006157420.tif 000006
【図５】
2006157420.tif 000007